(57)【要約】【課題】ファンモータの騒音・振動を抑えるファンモータ支持部材を提供する。【解決手段】ファンモータ１の円周部７に形成された複数のファンモータ突出部８に連結される防振部材Ａ４と、前記ファンモータ１の軸心方向に設けられた円筒状の軸心方向突出部６に連結される防振部材Ｂ５と、前記防振部材Ａ４を保持するファンケース突出部１１と前記防振部材Ｂ５を保持する円筒部９を有し前記ファンモータ１を収容するファンケース２と、前記ファンケース２と対向する方向から前記ファンケース２に収容された前記ファンモータ１を覆うファンカバー３からなり、前記防振部材Ｂ５を円錐状でかつ筒状に形成したもので、防振部材Ｂ５の誤挿入を防止し、ファンモータ１の振動による騒音を低減することができる。【選択図】図１
2011074886.tif 000002
【特許請求の範囲】
【請求項１】
ファンモータの円周部に形成された複数のファンモータ突出部に連結される防振部材Ａと、前記ファンモータの軸心方向に設けられた円筒状の軸心方向突出部に連結される防振部材Ｂと、前記防振部材Ａ、Ｂを保持する保持部を有し前記ファンモータを収容するファンケースと、前記ファンケースと対向する方向から前記ファンケースに収容された前記ファンモータを覆うファンカバーからなり、前記防振部材Ｂを円錐状でかつ筒状に形成したファンモータ支持部材。
【請求項２】
防振部材Ｂの外周に複数の防振突起を形成し、その防振突起を軸心方向突出部の内壁に当接させた請求項１に記載のファンモータ支持部材。
【請求項３】
防振部材Ｂの軸心方向突出部の否挿入側内側に円周状のリング突起を形成した請求項１又は２に記載のファンモータ支持部材。
【請求項４】
防振突起又は／及びリング突起を、防振部材Ｂに一体に形成した請求項２又は３に記載のファンモータ支持部材。
【請求項５】
ファンモータと、請求項１〜４のいずれか１項に記載のファンモータ支持部材を備え、前記ファンモータを、前記ファンモータ支持部材で支持した空気調和機。
支持部材。
【発明の詳細な説明】
【技術分野】
【０００１】
本発明は、ファンモータを支持するファンモータ支持部材と、それを用いた空気調和機に関する。
【背景技術】
【０００２】
両側に回転軸を軸支する軸受部を有するファンモータを支持する従来のファンモータ支持部材として、大径部と小径部とからなる段付円筒状のキャップと、環状の防振部材と、両側に防振部材を保持する保持部を備え前記ファンモータを収容するファンケーシングとからなり、前記キャップの大径部側をファンモータの軸受部に被着する一方、小径部の外周に環状の防振部材を装着し、さらにこの防振部材をファンケーシングの保持部で保持するようにしたものがある（例えば、特許文献１参照）。
【先行技術文献】
【特許文献】
【０００３】
【特許文献１】特開２００１−２３１２１５号公報
【発明の概要】
【発明が解決しようとする課題】
【０００４】
しかしながら、上記特許文献１に記載された従来のファンモータ支持部材の構成では、ファンモータの両側の軸受部に被着される防振部材の寸法バラツキが大きいため、ファンモータを収容するファンケーシングに挿入し難く、ファンモータが傾いて取付けられ、ファンモータの軸心が所定位置からズレやすくなり、騒音・振動の増大を招くといった課題があった。
【０００５】
本発明は、上記従来の課題を解決し、防振部材の挿入性を改善し、ファンモータの騒音・振動をより抑えることができるファンモータ支持部材と、騒音、振動の少ない空気調和機を提供することを目的とする。
【課題を解決するための手段】
【０００６】
上記従来の課題を解決するために、本発明のファンモータ支持部材は、ファンモータの円周部に形成された複数のファンモータ突出部に連結される防振部材Ａと、前記ファンモータの軸心方向に設けられた円筒状の軸心方向突出部に連結される防振部材Ｂと、前記防振部材Ａ、Ｂを保持する保持部を有し前記ファンモータを収容するファンケースと、前記ファンケースと対向する方向から前記ファンケースに収容された前記ファンモータを覆うファンカバーからなり、前記防振部材Ｂを円錐状でかつ筒状に形成したもので、防振部材Ｂの誤挿入を防止し、ファンモータの振動による騒音を低減することができる。
【０００７】
また、本発明の空気調和機は、ファンモータと、請求項１〜４のいずれか１項に記載されたファンモータ支持部材を備え、前記ファンモータを、前記ファンモータ支持部材で支持したもので、振動や騒音の小さい空気調和機を提供することができる。
【発明の効果】
【０００８】
本発明のファンモータ支持部材は、軸受部に装着される防振部材を円錐状でかつ筒状に形成することにより、ファンモータの挿入性を改善し、ファンモータの軸心が所定位置からズレることを防止することにより、ファンモータの振動により発生する騒音を抑制することができる。
【図面の簡単な説明】
【０００９】
【図１】本発明の実施の形態１におけるファンモータ支持部材とそれにより支持されたファンモータの断面図
【図２】同ファンモータ支持部材の防振部材Ａの断面図
【図３】（ａ）同ファンモータ支持部材の防振部材Ｂの正面図、（ｂ）同防振部材Ｂの断面図
【図４】（ａ）同防振部材Ｂの他の例を示す正面図、（ｂ）同防振部材Ｂの断面図
【図５】（ａ）同防振部材Ｂの他の例を示す正面図、（ｂ）同防振部材Ｂの断面図
【発明を実施するための形態】
【００１０】
第１の発明は、ファンモータの円周部に形成された複数のファンモータ突出部に連結される防振部材Ａと、前記ファンモータの軸心方向に設けられた円筒状の軸心方向突出部に連結される防振部材Ｂと、前記防振部材Ａ、Ｂを保持する保持部を有し前記ファンモータを収容するファンケースと、前記ファンケースと対向する方向から前記ファンケースに収容された前記ファンモータを覆うファンカバーからなり、前記防振部材Ｂを円錐状でかつ筒状に形成したもので、防振部材Ｂの誤挿入を防止し、ファンモータの振動による騒音を低減することができる。
【００１１】
第２の発明は、特に、第１の発明の防振部材Ｂの外周に複数の防振突起を形成し、その防振突起を軸心方向突出部の内壁に当接させたもので、防振部材Ｂと軸心方向突出部の内壁との接触面積が小さくなり、しかもファンモータからの振動が複数の防振突起により吸収されるため、ファンケースへの振動の伝達を、より効果的に抑制することができる。
【００１２】
第３の発明は、特に、第１又は第２の発明の防振部材Ｂの軸心方向突出部の否挿入側内側に円周状のリング突起を形成したもので、組立作業で発生する防振部材Ｂの誤挿入を確実に防止することができる。
【００１３】
第４の発明は、特に、第２又は第３の発明の防振突起又は／及びリング突起を、防振部材Ｂに一体に形成したもので、防振突起やリング突起を同時に形成することができるので、製造コストを低減させることができる。
【００１４】
第５の発明にかかる空気調和機は、ファンモータと、請求項１〜４のいずれか１項に記載のファンモータ支持部材を備え、前記ファンモータを、前記ファンモータ支持部材で支持したもので、振動や騒音の小さい空気調和機を提供することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるファンモータ支持部材とそれにより支持されたファンモータの断面図、図２は、同ファンモータ支持部材の防振部材Ａの断面図、図３は、同ファンモータ支持部材の防振部材Ｂの正面図と断面図である。
【００１７】
図１において、本実施の形態におけるファンモータ支持部材は、ファンケース２と、ファンカバー３と、ファンモータ１の円周部の径方向外側に所定ピッチで突出して配設されたファンモータ突出部８に連結される防振部材Ａ４と、ファンモータ１の軸心方向に突出して設けられた円筒状の軸心方向突出部６に連結される防振部材Ｂ５とから成る。
【００１８】
防振部材Ａ４、防振部材Ｂ５のそれぞれは、ファンモータ１の振動を吸収可能な材質で形成されている。ここで、振動を吸収可能な材質としては、例えば、ゴムや樹脂等が挙げ
られる。また、材質としてゴムが採用された場合、ゴムは、ファンモータ１に合わせて変形可能な硬度を有する。ゴムの硬度としては、例えば約３５度が挙げられる。
【００１９】
ファンケース２は、中央部に円筒部９を、円周部にファンケース突出部１１をそれぞれ備えている。
【００２０】
円筒部９には、軸心方向突出部６に連結された防振部材Ｂ５が差込まれる。ファンケース突出部１１には、ファンモータ突出部８に連結された防振部材Ａ４が差込まれる。すなわち、ファンケース２の円筒部９は、防振部材Ｂ５を保持する保持部、ファンケース突出部１１は、防振部材Ａ４を保持する保持部として機能している。
【００２１】
このように、ファンモータ１は、防振部材Ａ４と防振部材Ｂ５の複数の防振部材を介してファンケース２により保持されるようになっている。
【００２２】
ファンケースカバー３は、ファンケース２と対向する方向から、ファンケース２に収容されたファンモータ１を覆い、ファンモータ１と防振部材Ａ４と防振部材Ｂ５を保持し、ファンケース２からファンモータ１が脱落するのを防止する構成としている。
【００２３】
図２に示すように、防振部材Ａ４は、ファンモータ１の円周部７と略一致した円弧状の形状に形成されている。防振部材Ａ４は、空洞部１０を有し、空洞部１０は、ファンモータ１の円周部７の径方向外側に所定ピッチで突出して配設されたファンモータ突出部８に嵌め込むことにより、ファンモータ１と防振部材Ａ４を連結するようになっている。
【００２４】
図３に示すように、防振部材Ｂ５は、円筒部９の内面と防振部材Ｂ５との接触面積を小さくし、摩擦抵抗を低減させるため、ファンケース２の円筒部９内部の先端に向かって順次縮径する円錐状の筒形状を有している。防振部材Ｂ５は、軸心方向突出部６に嵌め込むことにより、軸心方向突出部６と防振部材Ｂ５は連結される。このように、防振部材Ｂ５を円錐状の筒形状にすることにより、挿入性の改善が図られ、ファンモータ１の軸心が所定位置からズレることを防止し、ファンモータ１の振動により発生する騒音を確実に抑制できる。
【００２５】
図４は、防振部材Ｂ５の他の例を示す正面図と断面図で、図４に示すように、防振部材Ｂ５の外周部に複数の防振突起１２を形成し、円筒部９の内面にその防振突起１２の先端を当接させるようにすれば、円筒部９の内面と防振部材Ｂ５との接触面積を小さくし、摩擦抵抗を低減させることが可能となる。また、ファンモータ１からの振動は、複数の防振突起１２により吸収されるため、その振動をファンケース２に伝達するのを、より効果的に抑制することができる。
【００２６】
図５は、防振部材Ｂ５の他の例を示す正面図と断面図で、図５に示すように、軸心方向突出部６に否挿入側の防振部材Ｂ５の内側に、円周状のリング突起１２を形成し、そのリング突起１２の内径寸法を、軸心方向突出部６の外形寸法より小さくするようにすれば、組立作業で発生する防振部材Ｂ５の誤挿入を防止することができる。
【００２７】
また、防振部材Ｂ５に設ける防振突起１２やリング突起１３は、例えばゴム等の同じ材質で形成される。これにより、防振突起１２やリング突起１３を同時に形成することができ、製造コストを低減させることができる。
【産業上の利用可能性】
【００２８】
以上のように、本発明に係るファンモータ支持部材は、例えば空気調和機の室内ファンモータなどのように、振動が生じるファンモータにおいて、ファンモータの振動を抑え異
音の発生を抑制することができるもので、空気調和機に限らず、ファンモータを有する各種機器に適用できる。
【符号の説明】
【００２９】
１  ファンモータ
２  ファンケース
３  ファンカバー
４  防振部材Ａ
５  防振部材Ｂ
６  軸心方向突出部
７  円周部
８  ファンモータ突出部
９  円筒部（保持部）
１０  空洞部
１１  ファンケース突出部（保持部）
１２  防振突起
１３  防振リング
【図３】
2011074886.tif 000003
【図４】
2011074886.tif 000004
【図５】
2011074886.tif 000005
【図１】
2011074886.tif 000006
【図２】
2011074886.tif 000007